(57)【特許請求の範囲】
【請求項１】
（Ｘ）データ処理システムで、第１ＰＢＸから、最小コスト・ルーティング情報の取得リクエストを受領するステップと、
（Ｙ）データ処理システムから、前記第１ＰＢＸに、前記取得リクエストに従って、最小コスト・ルーティング情報を提供するステップと、
（Ａ）データ処理システムで、下記第１と第２の表示を受領するステップと、
（ｉ）無線通信端末の地理的位置情報の第１表示、
（ｉｉ）前記無線通信端末の電話番号がＭ１からＭ２に変わったことを示す第２表示と、
前記無線通信端末は、前記第１ＰＢＸのアドレス・スペース内で電話番号のＮに関連づけられ、
前記電話番号Ｍ１とＭ２は、前記第１ＰＢＸのアドレス・スペースには存在せず、
（Ｂ）前記最小コスト・ルーティング情報に従って、前記第１ＰＢＸに、電話番号Ｎを電話番号Ｍ１の代わりに、電話番号Ｍ２にマッピングする信号を送信するステップと、
を有する
ことを特徴とする方法。
【請求項２】
（Ｃ）前記データ処理システムで、前記第１と第２の表示を受領する前に、第２ＰＢＸから取得リクエストを受領するステップと、
（Ｄ）前記無線通信端末に、前記第２ＰＢＸに関する情報を送信するステップと、
（Ｅ）前記第２ＰＢＸに、将来の呼びに対する最小コスト・ルーティング情報を送信するステップと
をさらに有する
ことを特徴とする請求項１記載の方法。
【請求項３】
前記第２ＰＢＸは、複数のＰＢＸの中から前記地理的位置情報に基づいて選択される
ことを特徴とする請求項２記載の方法。
【請求項４】
（Ｆ）前記第２ＰＢＸで、前記無線通信端末からの呼びを受領するステップと、
（Ｇ）前記最小コスト・ルーティング情報に従って、前記呼びを、前記第２ＰＢＸから前記第１ＰＢＸに、前記データ処理システムを含まないルートに沿って、ルーティングするステップと
をさらに有する
ことを特徴とする請求項３記載の方法。
【請求項５】
（Ｈ）前記第１ＰＢＸで、前記電話番号Ｎ向けの呼びを受領するステップと、
（Ｉ）前記最小コスト・ルーティング情報に従って、前記呼びを、前記第１ＰＢＸから前記第２ＰＢＸに、前記データ処理システムを含まないルートに沿って、ルーティングするステップと、
（Ｊ）前記呼びを、前記電話番号Ｍ２の前記無線通信端末につなぐステップと
をさらに有する
ことを特徴とする請求項３記載の方法。
【請求項６】
（Ｃ１）第２ＰＢＸで、無線通信端末からの呼びを受領するステップと、
前記第２ＰＢＸのＩＤは、前記無線通信端末の地理的位置情報に基づき、
（Ｄ１）前記呼びを、前記第２ＰＢＸから前記データ処理システムにルーティングするステップと、
（Ｅ１）前記呼びを、前記データ処理システムから前記第１ＰＢＸに、前記第２ＰＢＸを含むルートに沿って、ルーティングするステップと、
（Ｆ１）前記呼びから、前記データ処理システムと前記第２ＰＢＸを接続する部分を、ドロップするステップと
をさらに有する
ことを特徴とする請求項１記載の方法。
【請求項７】
（Ｃ２）第２ＰＢＸで、前記無線通信端末からの第１の呼びを、受領するステップと、
前記第２ＰＢＸは、複数のＰＢＸから前記無線通信端末の地理的位置情報に基づいて、選択され、
（Ｄ２）前記最小コスト・ルーティング情報に従って、前記第１の呼びを、前記第２ＰＢＸから前記データ処理システムに、ルーティングするステップと、
（Ｅ２）第２の呼びを、前記データ処理システムから前記第１ＰＢＸに、前記第２ＰＢＸを含むルートに沿って、確立するステップと、
（Ｆ２）前記第２の呼びから、前記データ処理システムを前記第２ＰＢＸに接続する前記ルートの一部を、ドロップするステップと、
（Ｇ）前記第１の呼びと第２の呼びを接続するステップと、
をさらに有する
ことを特徴とする請求項１記載の方法。
【請求項８】
（Ｈ）前記接続された第１と第２の呼びを、前記無線通信端末により指定された宛先につなぐステップ
をさらに有する
ことを特徴とする請求項７記載の方法。
【請求項９】
（Ｃ３）前記第１ＰＢＸで、前記電話番号Ｎに向けられた第１の呼びを受領するステップと、
（Ｄ３）前記第１の呼びを、前記第１ＰＢＸから前記データ処理システムに、ルーティングするステップと、
（Ｅ３）第２の呼びを、前記データ処理システムから第２ＰＢＸに、前記第１ＰＢＸを含むルートに沿って、確立するステップと、
前記第２ＰＢＸは、複数のＰＢＸから前記無線通信端末の地理的位置情報に基づいて、選択され、
（Ｆ３）前記第２の呼びから、前記データ処理システムを前記第１ＰＢＸに接続する前記ルートの一部を、ドロップするステップと、
（Ｇ２）前記第１と第２の呼びを接続するステップと、
（Ｈ１）前記接続された第１と第２の呼びを、前記電話番号Ｍ２の前記無線通信端末につなぐステップと
をさらに有する
ことを特徴とする請求項１記載の方法。
【請求項１０】
（Ｃ４）第２ＰＢＸで、第１の呼びを、前記無線通信端末から受領するステップと、
前記第２ＰＢＸのＩＤは、前記無線通信端末の地理的位置情報に基づき、
（Ｄ４）前記第１の呼びを、前記第２ＰＢＸから前記データ処理システムに、前記第１ＰＢＸを含まない第１のルートに沿って、ルーティングするステップと、
（Ｅ４）前記第１の呼びを、前記データ処理システムから前記第１ＰＢＸに、前記第２ＰＢＸを含まない第２のルートに沿って、ルーティングするステップと、
（Ｆ４）前記第２ＰＢＸを前記第１ＰＢＸに接続する第２の呼びを、前記データ処理システムを含まない第３のルートに沿って、確立するステップと、
（Ｇ３）前記第２の呼びを確立した後、前記第２ＰＢＸと前記データ処理システムとの間で、前記第１の呼びの一部を、ドロップするステップと
をさらに有する
ことを特徴とする請求項１記載の方法。
【発明の詳細な説明】
【技術分野】
【０００１】
本発明は、通信技術に関し、特に、企業向けの無線通信コストを削減する技術に関する。
【背景技術】
【０００２】
１ヶ所にいる従業員毎にに電話機（電話番号）を割り当てようとする組織（企業）には、通常２つの選択枝がある。第１の選択枝は、組織が従業員毎に１台の電話機と１本の外線（電話線）を電話会社から購入することである。第２の選択枝は、組織が従業員毎に１台の電話機と、電話会社からの電話機の数より少数の外線（電話線）と、従業員の電話機がこの電話線を共有できるようにする装置とを購入することである。
【０００３】
一般的に第２の選択枝は、第１の選択枝よりも経費が安い。従業員の電話機（電話番号）が電話線を共有するシステムは、いわゆる「ＰＢＸ」である。さらに、ＰＢＸは、さまざまな有効な通信機能をユーザに与える。例えば、呼びの転送、三者会議等の機能である。
【０００４】
図１は、従来の通信システム１００のブロック図である。通信システム１００は、関連のある構外（組織外）通信端末１０１−１〜１０１−Ｘと、関連のない構外（組織外）通信端末１０２と、構内（組織内）通信端末１０３−１〜１０３−Ｘと、PBX１０４と、通信ネットワーク１０５とを有する。それらは、図に示すよう相互に接続されている。ここでＸは正整数である。
【０００５】
本明細書、特許請求の範囲において、用語「関連のある」と「関連のない」とは、それらが構外端末に用いられた時には、構外端末は、構内端末（即ち、PBX１０４によりサービスされる端末）と関連があるか否かである。構内端末（例、通信端末１０３−１等）と関連のある構外端末（例、通信端末１０１−１等）との関係を、図２を参照して、受領した呼びを一方の端末あるいは両方の端末にさらに繋ぐことを例に、説明する。
【０００６】
PBX１０４は、通信ネットワーク１０５（例、公衆交換電話ネットワーク等）からの来入した呼びを、１本または複数本の伝送ラインを介して、構内の通信端末１０３−１〜１０３−Ｎのいずれかに切り換える（繋ぐ）ことができる。PBX１０４は、また構内の通信端末１０３−１〜１０３−Ｎのいずれかから発信された呼びを、通信ネットワーク１０５に、１本あるいは複数本の伝送ラインを介して、取り扱う（繋ぐ）ことができる。この伝送ラインは、PBX１０４と通信ネットワーク１０５とを接続する。
【０００７】
PBX１０４は、来入呼びを構内の通信端末１０３−ｎに切り換えることに加えて、来入呼びを通信ネットワーク１０５内の電話番号にさらに繋ぐことができる。通信ネットワーク１０５内にさらに接続された電話番号は、関連の通信端末１０１−ｎに対応する。ここで、ｎは１とＮとの間の整数である。
【０００８】
図１は、従来の通信システム１００に関連するアドレス・スペースを示す。用語「アドレス・スペース」とは、電話サービスのアドレス可能な領域を意味する。アドレス・スペース１１１は、通信ネットワーク１０５によりサービスされるアドレス可能な領域を表す。アドレス・スペース１１２は、PBX１０４によりサービスされるアドレス可能な領域を表す。
【０００９】
PBX１０４は、アドレス・スペース１１１とアドレス・スペース１１２との間の「ブリッジ」として機能する。発呼者が、PBX１０４によりサービスされている誰かに呼びを発すると、発呼者は、通信ネットワーク１０５に帰属し、アドレス・スペース１１１にある電話番号を含むダイヤリング・シーケンスを用いる。このダイヤリング・シーケンスの一部として、発呼者は、内線番号を使用する。この内線番号により、アドレス・スペース１１２内にある構内通信端末の１つにアクセスできる。
【００１０】
かくして、構内電話番号は、ＰＢＸのアドレス・スペース内にある電話番号である。構外電話番号は、公衆交換電話ネットワークのアドレス・スペース内にある電話番号である。
【００１１】
ある種のＰＢＸにより、構内端末のユーザは、構外端末の電話番号（例えば、ユーザの携帯電話番号）を構内端末の電話番号と関連づけることができる。これは、自動呼び転送の特徴機能を実行するためである。このような場合、構外端末の電話番号は、構内端末の電話番号にマッピングされると称する。通常、このようなマッピング機能を提供するＰＢＸは、例えば図２に示すように、表にマッピングを記憶する。
【００１２】
企業のユーザの構内端末が、企業の構外無線端末と関連性がある場合には、企業のユーザは、継ぎ目なく透明性をもって、次のことが行える。
（Ａ）  ユーザは、自分の無線端末（携帯電話）からの呼びを自分の構内端末（固定電話）から発信されたように装うこと。
（Ｂ）  自分の構内端末に向けられた呼びを、自分の無線端末で受けること。
（Ｃ）  自分の無線端末から、企業のＰＢＸの機能の全てに、世界中のあらゆるところからアクセスできること。
これらの機能により作業者の新規な移動性が確保できるが、同時にグローバル企業にとって、国際ローミング・コストが莫大となる。
【発明の開示】
【発明が解決しようとする課題】
【００１３】
本発明の目的は、上記の従来技術の欠点を解決することである。本発明により、公衆ネットワーク（例、ＰＳＴＮ、インターネット等）、私用ネットワーク（例、リース・ライン、インターネットを介した仮想私用ネットワーク（virtual private network (VPN)）等）あるいはそれらの組み合わせにより接続されたＰＢＸが配置された複数のサイトを有する企業の無線通信コストの低減が可能となる。特に、本発明の一実施例は、関連のある構外無線端末（例、携帯電話）から宛先に、企業のＰＢＸを介して、呼びをルーティングすることにより、通信コストを削減できる。本発明の利点は、構外の無線端末からあらゆる宛先（携帯電話、有線端末、ＰＢＸ等）に向けられた呼びにかかる通信コストを低減できる。このような使用の一例には次のようなものがある。
（Ａ）  出張でイギリスにいる従業員が、台湾のサプライヤーに電話かける場合。
（Ｂ）  出張でセントルイスにいる従業員が、ニュージャージーの顧客に電話をかける場合。
（Ｃ）  ニューヨークの自分の事務所の近くのレストランにいる従業員が、サンフランシスコの同僚に電話をかける場合。
【課題を解決するための手段】
【００１４】
本発明の一実施例によれば、構外の関連のある無線端末（例、携帯電話）の地理的位置情報の変更は、登録プロセスにより、追跡される。この携帯電話に「最も近い」（即ち最小コストで無線端末と通信できる）ＰＢＸ（携帯電話に関連する企業が所有する）は、自動的にデータ処理システム（即ち、サーバ等）で決定される。「最も近い」ＰＢＸは、「ビジターーＰＢＸ」と称する。
【００１５】
データ処理システムは、必要により、無線端末とこの無線端末に関連するＰＢＸ（即ち「ホームＰＢＸ」）との間のルートのコストをその後更新し、最小コスト・ルートを決定する。本発明の第１実施例によれば、最小コスト・ルート情報は、この更新の申し込みを要求した全てのＰＢＸに、分配される。第２、第３の実施例によれば、この情報は、データ処理システムで集中管理してもよい。従って、無線端末からなされた呼び、および無線端末にホームＰＢＸを介して向けられた呼びは、この最小コスト・ルート情報に従って、ルーティングされる。これにより、無線端末が関連する呼びのコストを下げることができる。
【００１６】
本発明の一実施例によれば、構外の関連のある無線端末のＩＤの変更（端末のＳＩＭカードを変えた結果としての電話番号の変更等）は、同様な方法で追跡され処理される。さらに、端末のホームＰＢＸには、このＩＤの変更が通知され、その結果、ＰＢＸは正しい呼び（即ち、新たな無線端末のＩＤに関連のある構内電話番号になされた呼び）を無線端末に転送できる。
【００１７】
本発明の一実施例によれば、本発明の方法は、（Ａ）データ処理システムで、（ｉ）無線通信端末の地理的位置情報の表示と、（ｉｉ）前記無線通信端末の電話番号がＭ１からＭ２に変わったことを示す表示とを受信するステップと、前記無線通信端末は、第１ＰＢＸのアドレス・スペース内で電話番号のＮに関連づけられ、前記電話番号のＭ１とＭ２は、前記第１ＰＢＸのアドレス・スペースには存在せず、（Ｂ）前記データ処理システムから前記第１ＰＢＸに、電話番号Ｎを電話番号Ｍ１の代わりに電話番号Ｍ２にマッピングする信号を送信するステップとを有する。
【実施例】
【００１８】
図３は、本発明の一実施例の通信システム３００のブロック図である。通信システム３００は、通信ネットワーク１０５と、ＰＢＸ３０４−１〜３０４−Ｐと、ネットワーク３０５と、構外の関連のある無線端末３０１と、通信端末３０６と、サーバ３１０を同図に示したように接続された状態で有する。ここで、Ｐは２以上の正整数である。
【００１９】
ＰＢＸ３０４−１〜３０４−Ｐは、従来のPBX１０４の全ての機能を提供し、お互いの間の信号をネットワーク３０５を介して受信し、図５−１４に記載した機能を実行できる。本発明の一実施例においては、ＰＢＸ３０４−１〜３０４−Ｐは、ＰＢＸが従来意味してきたものではなく、他の種類のルーティングあるいはスイッチング要素である。このルーティングあるいはスイッチング要素は、本明細書を参照することにより、当業者は容易に実現できるであろう。
【００２０】
ネットワーク３０５は、ＰＢＸ３０４−１〜３０４−Ｐの間で信号をやり取りし、通信ネットワーク１０５を介して信号を送受信し、サーバ３１０からの信号を送受信することができる。一実施例においては、ネットワーク３０５は、公衆ネットワーク（例、ＰＳＴＮ、インターネット等）であり、別の実施例においては、ネットワーク３０５は、私用ネットワーク（例、リース・ライン、インターネットを介した仮想私用ネットワーク（ＶＰＮ）等）であり、さらに別の実施例において、ネットワーク３０５は、公衆ネットワークと私用ネットワークの組み合わせである。
【００２１】
構外の関連のある無線端末３０１は、ＰＢＸ３０４−１〜３０４−Ｐの構内端末の一つと関連付けられた無線通信端末である。無線端末３０１が関連付けられた特定のＰＢＸと構内端末は、本発明にとって主要な構成ではなく、無線端末３０１が、組織内のある構内端末と関連付けられているだけでよい。
【００２２】
本発明の一実施例によれば、関連のある無線端末３０１は、サーバ３１０のＩＰアドレスを記憶し、サーバ３１０からの／への信号を送受信できる。さらに、関連のある無線端末３０１は、組織の内のＰＢＸに関する情報のテーブルのコンテンツ（例えば、電話番号とその配置場所等の情報）にアクセスできる。これは、図４に示すテーブル４００である。関連のある無線端末３０１は、さらに図５−１４に関し説明する機能を実行できる。ある実施例では、テーブル４００は、関連のある無線端末３０１で局部的に記憶されるか、別の実施例では、表４００はどこか他の場所（例、サーバ３１０）に記憶されており、その場所に、関連のある無線端末３０１はアクセスできる。いずれの場合にも、このような関連のある無線端末３０１を形成することは、本明細書を参照することにより当業者には容易である。
【００２３】
サーバ３１０は、データ処理システムである。このデータ処理システムは、信号を通信ネットワーク１０５とネットワーク３０５を介して送受信し、表４００を作成／更新し、図５−１４に示す機能を実行できる。
【００２４】
図５は、本発明の第１実施例により、関連のある無線端末３０１における身元（ＩＤ）の変更に応答して、関連のある無線端末３０１の登録中に、通信システム３００の複数の要素間の信号の伝送を表す図である。特に、図５は、関連のある無線端末３０１と、サーバ３１０と、ホームＰＢＸ３０４−ｉと、ビジターＰＢＸ３０４−ｊと間での信号のやりとり（伝送）を示す。
【００２５】
図６−１４と同様に、図５は、論理的なもので物理的なものではなく、概念として、通信システム３００の構成要素間の信号の送受信を表し、特定の伝送路（例、通信ネットワーク１０５、ネットワーク３０５等）、実際の伝送パスに存在する中間ノード（例えば、ＩＰ電話を介した音声用のセッション・イニシャル・プロトコル・サーバ等）を示していない。本明細書を参照することにより、図５の本発明の実施例を形成し使用することができるであろう。さらに、図５の信号の伝送は、同時にあるいは図示したのとは異なる順番に行うこともできる。
【００２６】
図５に示す信号の伝送はノード（ボックス）間の矢印で示す。信号伝送の時間的なシーケンスは、矢印の番号の大きくなる順である。
【００２７】
信号伝送５０１において、PBX３０４は、加入者リクエストを、サーバ３１０に送信する。この加入者リクエストは、関連のある無線端末のＩＤと、関連のある無線端末の地理的位置情報を含む情報と、最小コスト・ルート情報の将来の更新を要求するものである。便宜上、図５において、２個の加入者リクエスト信号５０１−１、５０１−２は、ぞれぞれホームＰＢＸ３０４−ｉとビジターＰＢＸ３０４−ｊにより送信されたものである。複数のＰＢＸによる加入者リクエスト信号の伝送は、必ずしも同時に発生するものではない。
【００２８】
信号伝送５０２において、関連のある無線端末３０１は、サーバ３１０に、現在の地理的位置情報の表示信号（例、ＧＰＳ座標軸、現在の携帯電話のＩＤ等）とそのＩＤの変化の表示信号（例、ユーザが新たなＳＩＭカードを挿入した場合等）を送信する。
【００２９】
信号伝送５０２を受信した後、サーバ３１０は、どのＰＢＸがこの端末に最も近いか（即ち、図５に示すビジターＰＢＸ３０４−ｊのＩＤ）を決定し、必要によっては、最小コスト・ルートを更新する。
【００３０】
信号伝送５０３において、サーバ３１０は、関連のある無線端末３０１に、その端末から後でなされる呼びのために、ビジターＰＢＸ３０４−ｊのＩＤを通知する。
【００３１】
信号伝送５０４において、サーバ３１０は、ホームＰＢＸ３０４−ｉに、関連のある無線端末３０１の新たなＩＤと更新された最小コスト・ルート情報とを通知する。信号伝送５０４に応答して、ホームＰＢＸ３０４−ｉは、構外電話番号を構内電話番号にマッピングするテーブルを、更新する。
【００３２】
信号伝送５０５において、サーバ３１０は、ビジターＰＢＸ３０４−ｊに、関連のある無線端末３０１の存在と更新された最小コスト・ルート情報を通知する。
【００３３】
図６は、本発明の第１実施例により、関連のある無線端末３０１の地理的位置情報の変更に応答して、関連のある無線端末３０１の登録中に、通信システム３００の複数の要素間の信号の伝送を表す図である。特に、図６は、関連のある無線端末３０１と、サーバ３１０と、ホームＰＢＸ３０４−ｉと、ビジターＰＢＸ３０４−ｊとの間の信号の伝送を示す。本明細書を参照することにより、図６に示した本発明の実施例の製造・使用方法は当業者に明らかである。さらに、図６の信号の伝送は、同時あるいは図に示した以外の別の順で行うこともできる。
【００３４】
信号伝送６０１において、企業の１台あるいは複数台のPBX３０４は、加入者リクエストをサーバ３１０に送る。この加入者リクエストは、関連する無線端末のＩＤと地理的位置情報と、最小コスト・ルート情報を含む情報に関する将来の更新を要求する。便宜上、図６は、このような信号の加入者要求６０１で示すが、加入者要求信号６０１−１と６０１−２は、ぞれぞれホームＰＢＸ３０４−ｉとビジターＰＢＸ３０４−ｊにより発信されたものである。複数ＰＢＸによる加入者リクエストの伝送は、必ずしも同時に起こるものではない。
【００３５】
信号伝送６０２において、関連のある無線端末３０１は、サーバ３１０に、現在の地理的位置情報（例、ＧＰＳ座標軸、現在の携帯ＩＤ等）に関する表示信号を送信する。
【００３６】
信号伝送６０２を受領した後、サーバ３１０は、ビジターＰＢＸ３０４−ｊのＩＤを決定し、必要によっては、最小コスト・ルートを更新する。
【００３７】
信号伝送６０３において、サーバ３１０は、関連のある無線端末３０１に、ビジターＰＢＸ３０４−ｊのＩＤを通知する。これは、この端末からの後の呼びのためである。
【００３８】
信号伝送６０４において、サーバ３１０は、ホームＰＢＸ３０４−ｉに、関連のある無線端末３０１の新たなＩＤと更新された最小コスト・ルート情報を通知する。
【００３９】
信号伝送６０５において、サーバ３１０は、ビジターＰＢＸ３０４−ｊに、関連のある無線端末３０１の存在と更新された最小コスト・ルート情報を通知する。
【００４０】
図７は、本発明の第１実施例により、関連のある無線端末３０１が呼びを発した時に、通信システム３００の複数の要素間の信号の伝送を表す図である。特に、図７は、関連する関連のある無線端末３０１と、サーバ３１０と、ホームＰＢＸ３０４−ｉと、ビジターＰＢＸ３０４−ｊの間の信号の伝送を示す。本明細書を参照することにより、図７に示した本発明の実施例の製造・使用方法は当業者に明らかである。さらに、図７の信号の伝送は、同時あるいは図に示した以外の別の順で行うこともできる。
【００４１】
信号伝送７０１において、関連のある無線端末３０１は、信号をビジターＰＢＸ３０４−ｊに送信することにより呼びを発する。この信号は、特定の宛先（例、別の無線端末の電話番号等）を特定し、この呼びをこの特定の宛先に回すようにＰＢＸに指示する。
【００４２】
信号伝送７０２において、ビジターＰＢＸ３０４−ｊは、この呼びを、ホームＰＢＸ３０４−ｉに回す。
【００４３】
信号伝送７０３において、ホームＰＢＸ３０４−ｉは、この呼びを宛先に回す。この呼びは、ホームＰＢＸ３０４−ｉのアドレス・スペース内にその電話番号がある宛先までさらにつがれるか、あるいは如何なる端末にも対応していないホームＰＢＸ３０４−ｉのアドレス・スペース内の内線につながれるか、あるいはホームＰＢＸ３０４−ｉのアドレス・スペース外にその電話番号がある端末に、外部から回されることもある（図７）。
【００４４】
図８は、本発明の第１実施例により、関連のある無線端末３０１が、連携する構内端末に向けられた呼びを受領した時、通信システム３００の複数の要素間の信号の伝送を表す図である。特に、図８は、関連のある無線端末３０１と、サーバ３１０と、ホームＰＢＸ３０４−ｉと、ビジターＰＢＸ３０４−ｊとの間の信号の伝送を示す。本明細書を参照することにより、図８に示した本発明の実施例の製造・使用方法は、当業者に明らかである。さらに、図８の信号の伝送は、同時あるいは図に示した以外の別の順で行うこともできる。
【００４５】
信号伝送８０１において、ホームＰＢＸ３０４−ｉは、関連のある無線端末３０１に連携する構内電話番号に向けられた呼びを受領する。この呼びは、その電話番号がホームＰＢＸ３０４−ｉのアドレス・スペース内にある端末から発信されたものか、あるいはその電話番号がホームＰＢＸ３０４−ｉのアドレス・スペース外にある端末から発信されたものかのいずれかである（図８に示す）。
【００４６】
信号伝送８０２において、ホームＰＢＸ３０４−ｉは、この呼びをビジターＰＢＸ３０４−ｊに回す。
【００４７】
信号伝送８０３において、ビジターＰＢＸ３０４−ｊは、この呼びを関連のある無線端末３０１まで延ばす。
【００４８】
図９は、本発明の第２，３実施例により、関連のある無線端末３０１のＩＤの変更に応答して、関連のある無線端末３０１を登録する時、通信システム３００の複数の要素間の信号の伝送を表す図である。特に、図９は、関連のある無線端末３０１と、サーバ３１０と、ホームＰＢＸ３０４−ｉと、ビジターＰＢＸ３０４−ｊとの間の信号の伝送を示す。本明細書を参照することにより、図９に示した本発明の実施例の製造・使用方法は、当業者に明らかである。さらに、図９の信号の伝送は、同時あるいは図に示した以外の別の順で行うこともできる。
【００４９】
信号伝送９０１において、関連のある無線端末３０１は、サーバ３１０に、現在の地理的位置情報の表示信号（例、ＧＰＳ座標軸、現在の携帯電話のＩＤ等）とそのＩＤの変化の表示信号（例、ユーザが新たなＳＩＭカードを挿入した場合等）を送信する。
【００５０】
信号伝送９０１を受信した後、サーバ３１０は、どのＰＢＸがこの端末に最も近いか（即ち、図９に示すビジターＰＢＸ３０４−ｊのＩＤ）を決定し、必要によっては、最小コスト・ルートを更新する。
【００５１】
信号伝送９０２において、サーバ３１０は、関連のある無線端末３０１に、その端末から後でなされる呼びのために、ビジターＰＢＸ３０４−ｊのＩＤを通知する。
【００５２】
信号伝送９０３において、サーバ３１０は、ホームＰＢＸ３０４−ｉに、関連のある無線端末３０１の新たなＩＤを通知する。信号伝送９０３に応答して、ホームＰＢＸ３０４−ｉは、構外電話番号を構内電話番号にマッピングするテーブルを、更新する。
【００５３】
図１０は、本発明の第２と第３の実施例により、関連のある無線端末３０１の地理的位置情報の変更に応答して、関連のある無線端末３０１の登録中に、通信システム３００の複数の要素間の信号の伝送を表す図である。
【００５４】
特に、図１０は、関連のある無線端末３０１と、サーバ３１０と、ホームＰＢＸ３０４−ｉと、ビジターＰＢＸ３０４−ｊとの間の信号の伝送を示す。本明細書を参照することにより、図１０に示した本発明の実施例の製造・使用方法は当業者に明らかである。さらに、図１０の信号の伝送は、同時あるいは図に示した以外の別の順で行うこともできる。
【００５５】
信号伝送１００１において、関連のある無線端末３０１は、サーバ３１０に、現在の地理的位置情報の表示信号（例、ＧＰＳ座標軸、現在の携帯電話のＩＤ等）を送信する。
【００５６】
信号伝送１００１を受信した後、サーバ３１０は、どのＰＢＸがこの端末に最も近いか（即ち、図１０に示すビジターＰＢＸ３０４−ｊのＩＤ）を決定し、必要によっては、最小コスト・ルートを更新する。
【００５７】
信号伝送１００２において、サーバ３１０は、関連のある無線端末３０１に、その端末から後でなされる呼びのために、ビジターＰＢＸ３０４−ｊのＩＤを通知する。
【００５８】
信号伝送１００３において、サーバ３１０は、ホームＰＢＸ３０４−ｉに、関連のある無線端末３０１の新たなＩＤを通知する。信号伝送１００３に応答して、ホームＰＢＸ３０４−ｉは、構外電話番号を構内電話番号にマッピングするテーブルを、更新する。
【００５９】
図１１は、本発明の第２実施例により、関連のある無線端末３０１が発呼した時に、通信システム３００の複数の要素間の信号の伝送を表す図である。特に、図１１は、関連のある無線端末３０１と、サーバ３１０と、ホームＰＢＸ３０４−ｉと、ビジターＰＢＸ３０４−ｊとの間の信号の伝送を示す。本明細書を参照することにより、図１１に示した本発明の実施例の製造・使用方法は当業者に明らかである。さらに、図１１の信号の伝送は、同時あるいは図に示した以外の別の順で行うこともできる。
【００６０】
信号伝送１１０１において、関連のある無線端末３０１は、ビジターＰＢＸ３０４−ｊに、特定の宛先（例、別の無線端末の電話番号等）を指定する信号を送ることにより、呼びを発し、ＰＢＸにその特定の宛先をルーティングするよう指示する。
【００６１】
信号伝送１１０２において、ビジターＰＢＸ３０４−ｊは、呼びをサーバ３１０にルーティングする。
【００６２】
信号伝送１１０３において、サーバ３１０は、この呼びを、ホームＰＢＸ３０４−ｉにルーティングする。
【００６３】
信号伝送１１０４において、ビジターＰＢＸ３０４−ｊからホームＰＢＸ３０４−ｉに接続する呼びの一部は、呼びからドロップされ、その一部は、必ずしもサーバ３１０を通らない新たな最小コストの呼びで、置換される。もとの呼びの残りの部分は、この新たな呼びに接続される。
【００６４】
信号伝送１１０５において、接続された呼びは、特定の宛先に伸ばされる。この呼びは、その電話番号がホームＰＢＸ３０４−ｉのアドレス・スペース内にある宛先に、またはいかなる端末にも対応しないホームＰＢＸ３０４−ｉのアドレス・スペース内にある内線に、伸ばしてもよく、または、その電話番号がホームＰＢＸ３０４−ｉのアドレス・スペース外にある端末に、外部からルーティングしてもよい（図１１に示す）。
【００６５】
図１２は、  本発明の第２実施例により、関連のある無線端末３０１が、関連のある構内端末に向けられた呼びを受領した時に、通信システム３００の複数の要素間の信号の伝送を表す図。特に、図１２は、関連のある無線端末３０１と、サーバ３１０と、ホームＰＢＸ３０４−ｉと、ビジターＰＢＸ３０４−ｊとの間の信号の伝送を示す。本明細書を参照することにより、図１２に示した本発明の実施例の製造・使用方法は当業者に明らかである。さらに、図１２の信号の伝送は、同時あるいは図に示した以外の別の順で行うこともできる。
【００６６】
信号伝送１２０１において、ホームＰＢＸ３０４−ｉは、関連する無線端末３０１に関係する構内電話番号に向けられた呼びを受領する。この呼びは、その電話番号がホームＰＢＸ３０４−ｉのアドレス・スペース内にある電話から発せられた、または、その電話番号がホームＰＢＸ３０４−ｉのアドレス・スペース外にある端末から発せられたものでもよい。
【００６７】
信号伝送１２０２において、ホームＰＢＸ３０４−ｉは、呼びをサーバ３１０にルーティングする。
【００６８】
信号伝送１２０３において、サーバ３１０は、この呼びを、ビジターＰＢＸ３０４−ｊにルーティングする。
【００６９】
信号伝送１２０４において、ホームＰＢＸ３０４−ｉからビジターＰＢＸ３０４−ｊに接続する呼びの一部は、呼びからドロップされ、その一部は、必ずしもサーバ３１０を通らない新たな最小コストの呼びで、置換される。もとの呼びの残りの部分は、この新たな呼びに接続される。
【００７０】
信号伝送１２０５において、ビジターＰＢＸ３０４−ｊは、この呼びを、関連する無線端末３０１に伸ばす。
【００７１】
図１３は、本発明の第３実施例により、関連のある無線端末３０１が呼びを発した時に、通信システム３００の複数の要素間の信号の伝送を表す図である。特に、図１３は、関連のある無線端末３０１と、サーバ３１０と、ホームＰＢＸ３０４−ｉと、ビジターＰＢＸ３０４−ｊとの間の信号の伝送を示す。本明細書を参照することにより、図１３に示した本発明の実施例の製造・使用方法は当業者に明らかである。さらに、図１３の信号の伝送は、同時あるいは図に示した以外の別の順で行うこともできる。
【００７２】
信号伝送１３０１において、関連のある無線端末３０１は、ビジターＰＢＸ３０４−ｊに、特定の宛先（例、別の無線端末の電話番号等）を指定する信号を送ることにより、呼びを発し、ＰＢＸにその特定の宛先をルーティングするよう指示する。
【００７３】
信号伝送１３０２において、ビジターＰＢＸ３０４−ｊは、呼びをサーバ３１０にルーティングする。
【００７４】
信号伝送１３０３において、サーバ３１０は、この呼びを、ホームＰＢＸ３０４−ｉに、ビジターＰＢＸ３０４−ｊを含むルートに沿って、ルーティングする。
【００７５】
信号伝送１３０４において、ビジターＰＢＸ３０４−ｊからサーバ３１０にさらにビジターＰＢＸ３０４−ｊに戻されるよう接続される呼びの一部は、呼びからドロップされる。
【００７６】
信号伝送１３０５において、呼びは、特定の宛先に伸ばされる。この呼びは、その電話番号がホームＰＢＸ３０４−ｉのアドレス・スペース内にある宛先に、またはいかなる端末にも対応しないホームＰＢＸ３０４−ｉのアドレス・スペース内にある内線に、転送してもよく、または、その電話番号がホームＰＢＸ３０４−ｉのアドレス・スペース外にある端末に、外部からルーティングしてもよい（図１３に示す）。
【００７７】
本発明の一実施例においては、信号伝送１３０４は、省いてもよい。その代わりに、信号伝送１３０３において、サーバ３１０は、ホームＰＢＸ３０４−ｉへの新たな呼びを、ビジターＰＢＸ３０４−ｊを含むルートに沿って、確立してもよい。この実施例においては、ビジターＰＢＸ３０４−ｊとサーバ３１０を接続する新たな呼びと元の呼びは、その後ドロップされ、元の呼びと新たな呼びの残りの部分は、その後接続される。
【００７８】
他の実施例においては、信号伝送１３０３において、サーバ３１０は、ビジターＰＢＸ３０４−ｊに、呼びをホームＰＢＸ３０４−ｉにルーティングするよう指示する信号を送信してもよい。この場合、信号伝送１３０４において、ビジターＰＢＸ３０４−ｊはこの指示を実行する。
【００７９】
図１４は、  本発明の第３実施例により、関連のある無線端末３０１が、関連のある構内端末に向けられた呼びを受領した時に、通信システム３００の複数の要素間の信号の伝送を表す図。特に、図１４は、関連のある無線端末３０１と、サーバ３１０と、ホームＰＢＸ３０４−ｉと、ビジターＰＢＸ３０４−ｊとの間の信号の伝送を示す。本明細書を参照することにより、図１４に示した本発明の実施例の製造・使用方法は当業者に明らかである。さらに、図１４の信号の伝送は、同時あるいは図に示した以外の別の順で行うこともできる。
【００８０】
信号伝送１４０１において、ホームＰＢＸ３０４−ｉは、関連する無線端末３０１に連携する構内電話番号に向けられた呼びを受領する。この呼びは、その電話番号がホームＰＢＸ３０４−ｉのアドレス・スペース内にある端末から発せられたか、または、その電話番号がホームＰＢＸ３０４−ｉのアドレス・スペース外にある端末から発せられたものでもよい。
【００８１】
信号伝送１４０２において、ホームＰＢＸ３０４−ｉは、呼びをサーバ３１０にルーティングする。
【００８２】
信号伝送１４０３において、サーバ３１０は、この呼びを、ビジターＰＢＸ３０４−ｊに、ビジターＰＢＸ３０４−ｊを含むルートに沿って、ルーティングする。
【００８３】
信号伝送１４０４において、ホームＰＢＸ３０４−ｉからサーバ３１０にそしてホームＰＢＸ３０４−ｉに戻るよう接続された呼びの一部は、呼びからドロップされる。
【００８４】
信号伝送１４０５において、ビジターＰＢＸ３０４−ｊは、この呼びを、関連する無線端末３０１に伸ばす。
【００８５】
本発明の他の実施例においては、信号伝送１４０４は省くことができる。その代わり、信号伝送１４０３において、サーバ３１０は、新たな呼びをビジターＰＢＸ３０４−ｊにホームＰＢＸ３０４−ｉを含むルートに沿って、確立する。この実施例においては、ホームＰＢＸ３０４−ｉとサーバ３１０を繋ぐ新たな呼びと元の呼びの一部は、その後ドロップされて、元の呼びと新たな呼びの残った部分は、その後接続される。
【００８６】
本発明の他の実施例においては、信号伝送１４０３において、サーバ３１０は、ホームＰＢＸ３０４−ｉに対し呼びをビジターＰＢＸ３０４−ｊに流すよう指示する信号を送信する。このような場合、信号伝送１４０４において、ホームＰＢＸ３０４−ｉは、この指示を実行する。
【００８７】
本明細書を参照することにより、コスト以外の他の要素、例えば伝送遅延、移動距離、通過するネットワーク・セグメントの数を減らすような他の構成も、容易に実施できる。
【００８８】
上記の実施例では、PBX３０４は、関連のある無線端末３０１を認証するような機構を含むように記載してはいないが、このような認証方法は公知であり、当業者は本明細書を参照することにより、このような認証方法を本発明に組み込むことができる。
【００８９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００９０】
【図１】従来の通信システム１００のブロック図。
【図２】従来の構外電話番号を構内電話番号にマッピングする表を表す図。
【図３】本発明の一実施例による通信システム３００のブロック図。
【図４】本発明の一実施例による表４００を表す図。
【図５】本発明の第１実施例により、関連のある無線端末３０１におけるＩＤの変更に応答して、関連のある無線端末３０１の登録中に、通信システム３００の複数の要素間の信号の伝送を表す図。
【図６】本発明の第１実施例により、関連のある無線端末３０１における地理的位置情報の変更に応答して、関連のある無線端末３０１の登録中に、通信システム３００の複数の要素間の信号の伝送を表す図。
【図７】本発明の第１実施例により、関連のある無線端末３０１が呼びを発した時に、通信システム３００の複数の要素間の信号の伝送を表す図。
【図８】本発明の第１実施例により、関連のある無線端末３０１が、連携する構内端末に向けられた呼びを受領した時に、通信システム３００の複数の要素間の信号の伝送を表す図。
【図９】本発明の第２と第３の実施例により、関連のある無線端末３０１におけるＩＤの変更に応答して、関連のある無線端末３０１の登録中に、通信システム３００の複数の要素間の信号の伝送を表す図。
【図１０】本発明の第２と第３の実施例により、関連のある無線端末３０１における地理的位置情報の変更に応答して、関連のある無線端末３０１の登録中に、通信システム３００の複数の要素間の信号の伝送を表す図。
【図１１】本発明の第２実施例により、関連のある無線端末３０１が呼びを発した時に、通信システム３００の複数の要素間の信号の伝送を表す図。
【図１２】本発明の第２実施例により、関連のある無線端末３０１が、関連のある構内端末に向けられた呼びを受領した時に、通信システム３００の複数の要素間の信号の伝送を表す図。
【図１３】本発明の第３実施例により、関連のある無線端末３０１が呼びを発した時に、通信システム３００の複数の要素間の信号の伝送を表す図。
【図１４】本発明の第３実施例により、関連のある無線端末３０１が、関連のある構内端末に向けられた呼びを受領した時に、通信システム３００の複数の要素間の信号の伝送を表す図。
【符号の説明】
【００９１】
１００  通信システム
１０１  通信端末
１０２  通信端末
１０３  通信端末
１０４  PBX
１０５  通信ネットワーク
１１１  アドレス・スペース
１１２  アドレス・スペース
３０１  関連のある無線端末
３０４  PBX
３０５  ネットワーク
３０６  通信端末
３１０  サーバ
【図１】
0005334476.tif 000002
【図２】
0005334476.tif 000003
【図３】
0005334476.tif 000004
【図４】
0005334476.tif 000005
【図５】
0005334476.tif 000006
【図６】
0005334476.tif 000007
【図７】
0005334476.tif 000008
【図８】
0005334476.tif 000009
【図９】
0005334476.tif 000010
【図１０】
0005334476.tif 000011
【図１１】
0005334476.tif 000012
【図１２】
0005334476.tif 000013
【図１３】
0005334476.tif 000014
【図１４】
0005334476.tif 000015